(57)【要約】【課題】ハウリングの発生を抑制できる補聴器を提供する。また、イヤホン又はヘッドホンから発せられる音におけるユーザ自身の声の音量が過大になりにくい補聴器を提供する。【解決手段】音響装置１は、筐体１１のヘッド部１１１に収容されるイヤホンと、筐体１１のテール部１１２の下端付近に収容される２つのマイクを備える。一方のマイクは主にユーザの前方から届く音を拾い、他方のマイクは主にユーザの後方から届く音を拾う。イヤホンと２つのマイクは各々、コード１３内の導電性ケーブルを介してアンプユニットに接続されており、２つのマイクにより拾音された音を表す音信号は、アンプユニットにおいてミキシング等の音響処理を施され、増幅された後、イヤホンの音響ドライバに入力される。【選択図】図２
2020031427.tif 000002
【特許請求の範囲】
【請求項１】
第１のマイクと、
第２のマイクと、
前記第１のマイク及び前記第２のマイクにより拾音された音を発音するイヤホンと
を備える音響装置であって、
マイクが最もよく拾う音の発生源に向かうベクトルを当該マイクの拾音軸とするとき、
自装置がユーザの左右いずれかの耳に装着された状態において、前記第１のマイクの拾音軸は前記ユーザの前方に向かい、前記第２のマイクの拾音軸は前記ユーザの後方に向かう
音響装置。
【請求項２】
前記第１のマイクの感度と前記第２のマイクの感度が異なる
請求項１に記載の音響装置。
【請求項３】
前記第１のマイクの指向性と前記第２のマイクの指向性が異なる
請求項１又は２に記載の音響装置。
【請求項４】
前記第１のマイクを収容する空間と前記第２のマイクを収容する空間を隔てる部材を備える
請求項１乃至３のいずれか１項に記載の音響装置。
【請求項５】
自装置がユーザの左右いずれかの耳に装着された状態において、前記第１のマイクと前記第２のマイクの少なくとも一方の拾音軸が、前記ユーザから見て前後方向に水平に延びる基準線に対し角度をなす
請求項１乃至４のいずれか１項に記載の音響装置。
【請求項６】
前記第１のマイクと前記第２のマイクを収容する筐体を備え、
自装置がユーザの左右いずれかの耳に装着された状態において、前記筐体は前側面において前後方向に貫通する第１のマイク孔と、後側面において前後方向に貫通する第２のマイク孔を有する
請求項１乃至５のいずれか１項に記載の音響装置。
【請求項７】
前記第１のマイク孔と前記第２のマイク孔を結ぶ直線が、前記ユーザから見て前後方向に水平に延びる基準線に対し角度をなす
請求項６に記載の音響装置。
【請求項８】
前記第１のマイク孔と前記第２のマイク孔の大きさ及び形状の少なくとも一方が異なる
請求項６又は７に記載の音響装置。
【請求項９】
請求項１乃至８のいずれか１項に記載の音響装置と、
前記音響装置の前記第１のマイクにより拾音された音を表す信号と、前記音響装置の前記第２のマイクにより拾音された音を表す信号をミキシングし、当該ミキシングにより生成した信号を増幅し、当該増幅により生成した信号を前記音響装置の前記イヤホンに対し出力するアンプユニットと
を備える音響システム。
【請求項１０】
前記アンプユニットは、前記音響装置の前記第１のマイクにより拾音された音を表す信号と、前記音響装置の前記第２のマイクにより拾音された音を表す信号を、１：１ではないミキシングバランスでミキシングする
請求項９に記載の音響システム。
【請求項１１】
前記アンプユニットは、前記音響装置の前記イヤホンに接続されている信号線と接続される第１のアースと、前記音響装置の前記第１のマイク及び前記音響装置の前記第２のマイクの少なくとも一方に接続されている信号線と接続され前記第１のアースと電気的に絶縁されている第２のアースを備える
請求項９又は１０に記載の音響システム。
【発明の詳細な説明】
【技術分野】
【０００１】
本発明は音響装置に関する。
【背景技術】
【０００２】
聴力を補う装置として、補聴器又は拾音器と呼ばれる音響装置（以下、便宜的に補聴器と拾音器を区別せずに「補聴器」という）がある。
【０００３】
補聴器に関する技術を開示した特許文献として、例えば特許文献１がある。特許文献１には、耳たぶに上から引っ掛けるタイプの補聴器が記載されている。特許文献１に記載の補聴器は、音響入口開口が気孔性材料で作られ、補聴器ハウジングの表面と同一面をなすように補聴器ハウジングの内部に取り付けられるカバー部材を有する点に特徴がある。特許文献１によれば、このカバー部材により、空気の動きに起因する干渉音が防止される。
【先行技術文献】
【特許文献】
【０００４】
【特許文献１】特表２００２−５０６３３５号公報
【発明の概要】
【発明が解決しようとする課題】
【０００５】
補聴器は外部の音をマイクで拾い、拾った音の信号をアンプで増幅し、増幅した音の信号でイヤホン又はヘッドホンの音響ドライバを駆動することによって、ユーザの耳に実際よりも大きな音量の音を供給する。このように、補聴器はマイクで拾った音を音響ドライバから発音する構成を備えるため、ハウリングが生じ易い。
【０００６】
また、マイクと音響ドライバが一体化されている補聴器の場合、マイクはユーザの耳周辺に配置されるため、ユーザの周囲の人の声よりも、それらの人よりマイクに近いユーザ自身の声を大きく拾う傾向がある。従って、何らかの対策が講じられなければ、周囲の人の声を聴き取るためにアンプの増幅率を高めると、アンプによって増幅されたユーザ自身の声が大きく聞こえすぎる、という問題がある。
【０００７】
上記の事情に鑑み、本発明は、ハウリングの発生を抑制できる補聴器を提供する。また、本発明は、イヤホン又はヘッドホンから発せられる音のうち、ユーザ自身の声の音量が過大になりにくい補聴器を提供する。
【課題を解決するための手段】
【０００８】
上記の課題に鑑み、本発明は、第１のマイクと、第２のマイクと、前記第１のマイク及び前記第２のマイクにより拾音された音を発音するイヤホンとを備える音響装置であって、マイクが最もよく拾う音の発生源に向かうベクトルを当該マイクの拾音軸とするとき、自装置がユーザの左右いずれかの耳に装着された状態において、前記第１のマイクの拾音軸は前記ユーザの前方に向かい、前記第２のマイクの拾音軸は前記ユーザの後方に向かう音響装置を第１の態様として提供する。
【０００９】
第１の態様に係る音響装置において、前記第１のマイクの感度と前記第２のマイクの感度が異なる、という構成が第２の態様として採用されてもよい。
【００１０】
第１又は第２の態様に係る音響装置において、前記第１のマイクの指向性と前記第２のマイクの指向性が異なる、という構成が第３の態様として採用されてもよい。
【００１１】
第１乃至第３のいずれかの態様に係る音響装置において、前記第１のマイクを収容する空間と前記第２のマイクを収容する空間を隔てる部材を備える、という構成が第４の態様として採用されてもよい。
【００１２】
第１乃至第４のいずれかの態様に係る音響装置において、自装置がユーザの左右いずれかの耳に装着された状態において、前記第１のマイクと前記第２のマイクの少なくとも一方の拾音軸が、前記ユーザから見て前後方向に水平に延びる基準線に対し角度をなす、という構成が第５の態様として採用されてもよい。
【００１３】
第１乃至第５のいずれかの態様に係る音響装置において、前記第１のマイクと前記第２のマイクを収容する筐体を備え、自装置がユーザの左右いずれかの耳に装着された状態において、前記筐体は前側面において前後方向に貫通する第１のマイク孔と、後側面において前後方向に貫通する第２のマイク孔を有する、という構成が第６の態様として採用されてもよい。
【００１４】
第６の態様に係る音響装置において、前記第１のマイク孔と前記第２のマイク孔を結ぶ直線が、前記ユーザから見て前後方向に水平に延びる基準線に対し角度をなす、という構成が第７の態様として採用されてもよい。
【００１５】
第６又は第７の態様に係る音響装置において、前記第１のマイク孔と前記第２のマイク孔の大きさ及び形状の少なくとも一方が異なる、という構成が第８の態様として採用されてもよい。
【００１６】
また、本発明は、第１乃至第８のいずれかの態様に係る音響装置と、前記音響装置の前記第１のマイクにより拾音された音を表す信号と、前記音響装置の前記第２のマイクにより拾音された音を表す信号をミキシングし、当該ミキシングにより生成した信号を増幅し、当該増幅により生成した信号を前記音響装置の前記イヤホンに対し出力するアンプユニットとを備える音響システムを第９の態様として提供する。
【００１７】
第９の態様に係る音響システムにおいて、前記アンプユニットは、前記音響装置の前記第１のマイクにより拾音された音を表す信号と、前記音響装置の前記第２のマイクにより拾音された音を表す信号を、１：１ではないミキシングバランスでミキシングする、という構成が第１０の態様として採用されてもよい。
【００１８】
第９又は第１０の態様に係る音響システムにおいて、前記アンプユニットは、前記音響装置の前記イヤホンに接続されている信号線と接続される第１のアースと、前記音響装置の前記第１のマイク及び前記音響装置の前記第２のマイクの少なくとも一方に接続されている信号線と接続され前記第１のアースと電気的に絶縁されている第２のアースを備える、という構成が第１１の態様として採用されてもよい。
【発明の効果】
【００１９】
本発明によれば、ハウリングの発生を抑制できる補聴器が提供される。また、本発明によれば、イヤホン又はヘッドホンから発せられる音におけるユーザ自身の声の音量が過大になりにくい補聴器が提供される
【図面の簡単な説明】
【００２０】
【図１】一実施形態に係る音響装置の外観を示した図。
【図２】一実施形態に係る音響装置の外から見える構成部を説明するための図。
【図３】一実施形態に係る音響装置の筐体内に収容されている主要な構成部の配置を示した図。
【図４】一実施形態に係る音響装置の２つのマイクの距離が異なる例を示した図。
【図５】一実施形態に係る音響装置の２つのマイクのポーラパターンの組み合わせの例を示した図。
【図６】一実施形態に係る音響装置のイヤホンと２つのマイクの距離が異なる例を示した図。
【図７】一実施形態に係る音響装置のイヤホンのポーラパターンが異なる例を示した図。
【図８】一実施形態に係る音響装置の筐体内に配置される吸音素材の位置及び形状を例示した図。
【図９】一実施形態に係る音響装置の筐体が２つのマイクの各々を収容する空間を隔てる隔壁を有する例を示した図。
【図１０】一実施形態に係る音響装置の２つのマイクの位置が異なる例を示した図。
【図１１】一実施形態に係る音響装置の２つのマイクの拾音軸が水平方向に対し傾いている例を示した図。
【図１２】一実施形態に係る音響装置の２つのマイク孔を結ぶ直線が水平方向に対し傾いている例を示した図。
【図１３】一実施形態に係る音響装置の一方のマイク孔の大きさよりも他方のマイク孔の大きさが大きい例を示した図。
【発明を実施するための形態】
【００２１】
以下に本発明の一実施形態に係る音響装置１を説明する。図１は、音響装置１の外観を示した図である。音響装置１は右耳用と左耳用がある。図１に示す音響装置１は右耳用である。左耳用の音響装置１は右耳用の音響装置１と形状及び内部の構成の配置が左右対称である点を除き右耳用の音響装置１と同じ構成を備えるため、以下、右耳用の音響装置１の説明を行い、左耳用の音響装置１の説明は省略する。以下、単に「音響装置１」という場合、右耳用の音響装置１を意味する。また、音響装置１がユーザの耳に装着されている状態において、ユーザに正対する人から見える面を正面とし、音響装置１を装着している人にとっての上下左右を、音響装置１の上下左右とする。図１（Ａ）は音響装置１を背面側から見た立体視図、図１（Ｂ）は音響装置１を左下方から見た立体視図、図１（Ｃ）は本体とイヤピースが分離された状態の音響装置１を右上後方から見た三次元形状を表す線図である。
【００２２】
図２は、音響装置１の外から見える構成部を説明するための図である。図２（Ａ）は音響装置１の平面図、図２（Ｂ）は音響装置１の背面図、図２（Ｃ）は音響装置１の正面図、図２（Ｄ）は音響装置１の右側面図である。なお、図２において、音響装置１の本体とイヤピースは分離されているが、音響装置１が使用される際にはイヤピースは本体に取り付けられている。
【００２３】
音響装置１は、外から見える構成部として、筐体１１と、イヤピース１２と、コード１３を備える。筐体１１は、大まかに、イヤホンを収容するヘッド部１１１と、ヘッド部１１１から下方に延伸しその下端付近において２つのマイクを収容するテール部１１２に区分される。
【００２４】
ヘッド部１１１は、ユーザの耳孔に向かい突出した管状部１１１１を有する。管状部１１１１はイヤホンが発する音をユーザの耳孔内へと導く役割を果たす。イヤピース１２は管状部１１１１に取り付けられており、音響装置１をユーザの耳に保持させる役割と、外界からユーザの耳孔内へ向かう音の音量を低減する役割とを果たす。
【００２５】
テール部１１２の下端付近の前側面には、筐体１１の壁面を前後方向に貫通するマイク孔１１２１Ｆ（図２（Ｃ）参照）が設けられている。マイク孔１１２１Ｆは主にユーザの前方からユーザに届く音を筐体１１内へ取り込む役割を果たす。また、テール部１１２の下端付近の後側面には、筐体１１の壁面を前後方向に貫通するマイク孔１１２１Ｂ（図２（Ｂ）参照）が設けられている。マイク孔１１２１Ｂは主にユーザの後方からユーザに届く音を筐体１１内へ取り込む役割を果たす。
【００２６】
図３は、筐体１１内に収容されている音響装置１の主要な構成部の配置を示した図である。筐体１１は、ヘッド部１１１にイヤホン１４を収容している。また、筐体１１は、テール部１１２の下端付近に、マイク１５Ｆ（請求の範囲に記載の第１のマイクの一例）とマイク１５Ｂ（請求の範囲に記載の第２のマイクの一例）を収容している。テール部１１２において、マイク１５Ｆは前側、マイク１５Ｂは後側に配置されている。本願において、マイクが最もよく拾う音の発生源に向かうベクトルを、そのマイクの「拾音軸」という。音響装置１がユーザの耳に装着された状態において、マイク１５Ｆの拾音軸はユーザの前方に向かう。従って、マイク１５Ｆは、主に、ユーザの前方からマイク孔１１２１Ｆを通って筐体１１内に届く音を拾う。一方、マイク１５Ｂの拾音軸はユーザの後方に向かう。従って、マイク１５Ｂは、主に、ユーザの後方からマイク孔１１２１Ｂを通って筐体１１内に届く音を拾う。
【００２７】
コード１３は絶縁体で被覆された以下の６本の導電性ケーブルを束ねてさらに絶縁体等の素材で被覆したものである。
（１）イヤホン１４の第１の信号線
（２）イヤホン１４の第２の信号線
（３）マイク１５Ｆのプラス信号線
（４）マイク１５Ｆのマイナス信号線
（５）マイク１５Ｂのプラス信号線
（６）マイク１５Ｂのマイナス信号線
【００２８】
なお、１本の導電性ケーブルが上記の（４）と（６）を兼ねてもよい。その場合、コード１３に含まれる導電性ケーブルの数は５本となる。
【００２９】
コード１３に含まれる導電性ケーブルは、アンプユニット（図示略）に接続されている。アンプユニットは、マイク１５Ｆにより拾音された音を表すアナログ信号と、マイク１５Ｂにより拾音された音を表すアナログ信号をデジタル信号に変換し、それらのデジタル信号に対し、ミキシング等の音響処理を施して生成したデジタル信号をアナログ信号に再変換し、再変換により生成したアナログ信号を増幅し、増幅したアナログ信号をイヤホン１４に対し出力する。なお、アナログ信号へ再変換の前に、デジタル信号に対し増幅の処理が行われてもよい。音響装置１とアンプユニットは音響システムを構成する。
【００３０】
上記の構成を備える音響装置１は、少なくとも以下のパラメータの１以上が、（ａ）ハウリングの低減、（ｂ）イヤホン１４から発せられる音における音響装置１を装着しているユーザ自身の声の音量の低減、という２つの観点から調整されている。
（Ａ）マイク１５Ｆとマイク１５Ｂの間隔
（Ｂ）マイク１５Ｆとマイク１５Ｂの各々の感度
（Ｃ）マイク１５Ｆが出力する音信号とマイク１５Ｂが出力する音信号のミキシングバランス
（Ｄ）マイク１５Ｆとマイク１５Ｂの各々の指向性（ポーラパターンの形状）
（Ｅ）イヤホン１４とマイク１５Ｆ及びマイク１５Ｂとの距離
（Ｆ）イヤホン１４の指向性（ポーラパターンの形状）
（Ｇ）筐体１１の素材
（Ｈ）筐体１１内の空間を充填する充填材の素材
（Ｉ）筐体１１の内側表面及び外側表面の各々を覆うコーティング材の素材
（Ｊ）コード１３の被覆材の素材
（Ｋ）コード１３に含まれる導電性ケーブルの被覆材の素材
（Ｌ）コード１３に含まれる複数の導電性ケーブルの配置
（Ｍ）イヤピース１２の素材
（Ｎ）イヤピース１２の形状
（Ｏ）筐体１１の形状
（Ｐ）マイク１５Ｆとマイク１５Ｂの位置
（Ｑ）マイク１５Ｆとマイク１５Ｂの姿勢（傾き）
（Ｒ）マイク孔１１２１Ｆとマイク孔１１２１Ｂを結ぶ直線の傾き
（Ｓ）マイク孔１１２１Ｆとマイク孔１１２１Ｂの大きさ及び形状
【００３１】
また、音響装置１がハウリングを生じる原因の一つとして、イヤホン１４とアンプユニットを接続している導電性ケーブルで伝達される音信号が電磁誘導によりマイク１５Ｆ及びマイク１５Ｂとアンプユニットを接続している導電性ケーブルに音信号を発生させることが考えられる。この電磁誘導を低減するために、アンプユニットは、上述した（２）イヤホン１４の第２の信号線が接続される第１のアースと、（４）マイク１５Ｆのマイナス信号線及び（６）マイク１５Ｂの少なくとも一方のマイナス信号線が接続され、第１のアースと電気的に絶縁されている第２のアースを備えることが望ましい。
【００３２】
また、コード１３に含まれる３組６本の導電性ケーブルの各々は、組毎に撚られたツイストペアケーブルとなっていることが望ましい。また、コード１３に含まれる６本の導電性ケーブルの各々は、電磁漏れや干渉から信号を保護する保護シースで覆われたシールドケーブルであることが望ましい。
【００３３】
上記（Ａ）に関し、一般的にマイク１５Ｆとマイク１５Ｂを離した方が、それらのマイクの各々が拾う音がよく分離される。図４は、マイク１５Ｆとマイク１５Ｂの距離が異なる例を示した図である。図４（Ｂ）の例においては、図４（Ａ）の例におけるよりも、マイク１５Ｆとマイク１５Ｂの距離が大きい。
【００３４】
上記（Ｂ）に関し、マイク１５Ｆとマイク１５Ｂの感度は異なってよい。一般的に人間の耳には前方からの音の方が後方からの音よりも大きく聞こえる。従って、マイク１５Ｆの感度を、マイク１５Ｂの感度よりも高く調整することにより、イヤホン１４から聞こえる音を、ユーザが自然な音と感じる音にすることができる場合がある。その場合、マイク１５Ｆとマイク１５Ｂの感度の比が、例えば３：２のようであればよい。
【００３５】
上記（Ｃ）に関し、アンプユニットが、マイク１５Ｆが出力する音信号と、マイク１５Ｂが出力する音信号をミキシングする際のミキシングバランスは１：１でなくてもよい。例えば、マイク１５Ｆとマイク１５Ｂの感度が同じ場合において、マイク１５Ｆが出力する音信号と、マイク１５Ｂが出力する音信号のミキシングバランスを、例えば３：２のようにすれば、ユーザに前方からの音の方が後方からの音よりも大きく聞こえ、自然な音と感じる場合がある。
【００３６】
上記（Ｄ）に関し、マイク１５Ｆとマイク１５Ｂの各々の指向性（ポーラパターンの形状）は異なってよい。図５は、マイク１５Ｆとマイク１５Ｂのポーラパターンの組み合わせの例を示した図である。図５（Ａ）はマイク１５ＦのポーラパターンＰ１とマイク１５ＢのポーラパターンＰ２の形状が同じ場合を例示し、図５（Ｂ）はそれらが異なる場合を例示している。
【００３７】
上記（Ｅ）に関し、イヤホン１４とマイク１５Ｆ及びマイク１５Ｂとの距離は、ハウリングの低減の観点からは距離が長い方が望ましい。ただし、その距離が長すぎると、マイク１５Ｆ及びマイク１５Ｂがユーザの口元に近づくため、イヤホン１４から発せられるユーザ自身の声の音量の低減の観点からは望ましくない。従って、イヤホン１４とマイク１５Ｆ及びマイク１５Ｂとの距離は、それらのバランスのよい距離に調整されることが望ましい。図６は、イヤホン１４と、マイク１５Ｆ及びマイク１５Ｂの距離が異なる例を示した図である。図６（Ｂ）の例においては、図６（Ａ）の例におけるよりも、イヤホン１４と、マイク１５Ｆ及びマイク１５Ｂの距離が大きい。
【００３８】
上記（Ｆ）に関し、イヤホン１４からユーザの耳孔に向かう方向における指向性が強く、他の方向における指向性が弱いと、イヤホン１４から発せられる音がユーザによく聞こえ、マイク１５Ｆ及びマイク１５Ｂに拾われにくくハウリングを生じにくいため、望ましい。図７は、イヤホン１４のポーラパターンＰ３が異なる例を示した図である。図７（Ｂ）の例においては、図７（Ａ）の例におけるよりも、イヤホン１４の発する音のユーザの耳孔に向かう方向における指向性が強く、他の方向における指向性が弱い。
【００３９】
上記（Ｇ）〜（Ｋ）に関し、音響装置１の構成部に用いられる素材は、ハウリングの低減の観点から、可能な限り吸音性が高く、音を伝達しにくい素材であることが望ましい。例えば、上記（Ｈ）に関し、筐体１１内において、マイク１５Ｆ及びマイク１５Ｂがスポンジやゲル状素材のような吸音素材、又は、バネ等の音の伝達を妨げる部材によって支持されていてもよい。その際、それらの素材又は部材は、マイク１５Ｆ及びマイク１５Ｂがマイク孔１１２１Ｆ及びマイク孔１１２１Ｂを通って筐体１１内に届く音の拾音を妨げないように配置される必要がある。また、上記（Ｉ）に関し、筐体１１の内側表面及び外側表面の各々を覆うコーティング材は吸音塗料であることが望ましい。
【００４０】
図８は、筐体１１内に配置される吸音素材１６の位置及び形状を例示した図である。図８の例では、吸音素材１６はマイク１５Ｆとマイク１５Ｂの間に壁（請求の範囲に記載の空間を隔てる部材の一例）を形成し、マイク１５Ｆとマイク１５Ｂの各々が拾う音の分離を促進している。吸音素材１６に代えて、例えば筐体１１の内側に設けられた隔壁により、マイク１５Ｆとマイク１５Ｂの各々が拾う音の分離が促進されてもよい。図９は、筐体１１が、マイク１５Ｆを収容する空間とマイク１５Ｂを収容する空間を隔てる隔壁１１１２（請求の範囲に記載の空間を隔てる部材の他の一例）を有する例を示している。
【００４１】
上記（Ｍ）及び（Ｎ）に関し、イヤピース１２の素材及び形状は、ハウリングの低減の観点から、遮音性が高く、装着性がよく、長時間の装着においても痛み等を生じにくいものが望ましい。そのようなイヤピース１２の素材の例としては、ウレタンフォーム、シリコン等が挙げられる。また、そのようなイヤピース１２の形状の例としては、図１及び図２に例示の単一ドーム形状の他、複数のドームが重ねられた形状等が挙げられる。
【００４２】
上記（Ｐ）に関し、マイク１５Ｆとマイク１５Ｂの位置は、ユーザが発する音声を過大に拾わないように、ユーザの口元から離れている方が望ましい。図１０は、ユーザの口元の位置を基準位置とするマイク１５Ｆとマイク１５Ｂの位置が異なる例を示した図である。図１０（Ｂ）の例においては、図１０（Ａ）の例におけるよりも、マイク１５Ｆ及びマイク１５Ｂがユーザの口元から離れている。
【００４３】
上記（Ｑ）に関し、図１〜図３に示したマイク１５Ｆは水平方向前方から届く音を最もよく拾う。すなわち、マイク１５Ｆの拾音軸は水平方向前方である。また、図１〜図３に示したマイク１５Ｂは水平方向後方から届く音を最もよく拾う。すなわち、マイク１５Ｂの拾音軸は水平方向後方である。マイク１５Ｆとマイク１５Ｂの拾音軸はユーザから見て前後方向に水平に延びる線（以下、基準線）と平行である必要はない。
【００４４】
図１１はマイク１５Ｆとマイク１５Ｂの拾音軸が基準線に対し角度をなす（すなわち、基準線に対し傾いている）例を示した図である。図１１（Ａ）の例では、マイク１５Ｆの拾音軸Ａ１は斜め上前方であり、マイク１５Ｂの拾音軸Ａ２は斜め上後方である。また、図１１（Ｂ）の例では、マイク１５Ｆの拾音軸Ａ１は斜め上前方であり、マイク１５Ｂの拾音軸Ａ２は斜め下後方である。なお、図１１の例は、基準線に対するマイク１５Ｆ及びマイク１５Ｂの拾音軸のチルト角が０でない場合を示しているが、これに加えて、又は代えて、基準線に対するマイク１５Ｆ及びマイク１５Ｂの拾音軸のパン角が０でなくてもよい。
【００４５】
上記（Ｒ）に関し、図１〜図３に示した音響装置１において、マイク孔１１２１Ｆとマイク孔１１２１Ｂを結ぶ直線は基準線と平行であり、基準線との間に角度をなさない。マイク孔１１２１Ｆとマイク孔１１２１Ｂを結ぶ直線は基準線に対し角度をなしてもよい。図１２は、基準線に対し、マイク孔１１２１Ｆとマイク孔１１２１Ｂを結ぶ直線のチルト角がθ（０＜θ＜π）である例を示している。
【００４６】
上記（Ｓ）に関し、図１〜図３に示した音響装置１において、マイク孔１１２１Ｆとマイク孔１１２１Ｂの大きさと形状は同じである。マイク孔１１２１Ｆとマイク孔１１２１Ｂの大きさ及び形状の少なくとも一方が異なってよい。例えば、マイク１５Ｆとマイク１５Ｂの感度が同じであり、マイク孔１１２１Ｆが出力する音信号とマイク孔１１２１Ｂが出力する音信号のミキシングバランスが１：１である場合、マイク孔１１２１Ｂの大きさよりもマイク孔１１２１Ｆの大きさが大きいと、ユーザに前方からの音の方が後方からの音よりも大きく聞こえ、自然な音と感じる場合がある。図１３は、マイク孔１１２１Ｂの大きさよりもマイク孔１１２１Ｆの大きさが大きい例を示している。
【符号の説明】
【００４７】
１…音響装置、１１…筐体、１２…イヤピース、１３…コード、１４…イヤホン、１５Ｆ・１５Ｂ…マイク、１６…吸音素材、１１１…ヘッド部、１１２…テール部、１１１１…管状部、１１１２…隔壁、１１２１Ｆ・１１２１Ｂ…マイク孔。
【図１】
2020031427.tif 000003
【図２】
2020031427.tif 000004
【図３】
2020031427.tif 000005
【図４】
2020031427.tif 000006
【図５】
2020031427.tif 000007
【図６】
2020031427.tif 000008
【図７】
2020031427.tif 000009
【図８】
2020031427.tif 000010
【図９】
2020031427.tif 000011
【図１０】
2020031427.tif 000012
【図１１】
2020031427.tif 000013
【図１２】
2020031427.tif 000014
【図１３】
2020031427.tif 000015